(57)【要約】【課題】電気ヒータと石塊とが当接せず、電気ヒータの損傷や漏電を防止できるサウナ装置の提供。【解決手段】  図に示す如く、サウナ装置Ａは、ベースプレート１と、外枠体２と、外枠体２内を上下に仕切る仕切板と、外枠体２の内側に同軸配置される内枠体と、電気ヒータと、スパイラルフープ６と、スパイラルフープ６と金網との間の空所に積載される天然石塊７とを備える。サウナ装置Ａは仕切板より上方の内枠体内側に棒状の電気ヒータを配置する構造であるので、電気ヒータと天然石塊７とを分離でき、電気ヒータが天然石塊７に当たらない。このため、電気ヒータの損傷や漏電を防止でき、且つ、電気ヒータの交換や保守点検が容易である。【選択図】図１
2010057850.tif 000002
【特許請求の範囲】
【請求項１】
底板と、
該底板から複数本のパイプを立設し、隣合うパイプ間を補強パイプで環状に連結した筒状の外枠体と、
前記パイプの内面に固定されるスパイラルフープと、
前記底板から複数本の保護管を立設し、隣合う保護管間を補強管で環状に連結し、枠体外周を金網で包囲してなり、前記外枠体の内側に同軸配置される筒状の内枠体と、
該内枠体の内側に配置される棒状の電気ヒータと、
前記外枠体の前記スパイラルフープと前記内枠体の前記金網との間の空所に多数個、積載される石塊とを備え、前記電気ヒータに通電して空所内の石塊群を加熱することを特徴とするサウナ装置。
【請求項２】
底板と、
該底板から複数本のパイプを立設し、隣合うパイプ間を補強パイプで環状に連結した角筒状の外枠体と、
前記パイプの内面に固定されるスパイラルフープと、
前記底板から複数本の保護管を立設し、隣合う保護管間を補強管で環状に連結し、枠体外周を金網で包囲してなり、前記外枠体の内側に同軸配置される角筒状の内枠体と、
該内枠体の内側に配置される棒状の電気ヒータと、
前記外枠体の前記スパイラルフープと前記内枠体の前記金網との間の空所に多数個、積載される石塊とを備え、前記電気ヒータに通電して空所内の石塊群を加熱することを特徴とするサウナ装置。
【請求項３】
底板と、
該底板から複数本のパイプを立設し、隣合うパイプ間を補強パイプで環状に連結した角筒状の外枠体と、
該外枠体の下部に固定され、外枠体内を上下に仕切る仕切板と、
前記底板から複数本の保護管を立設し、隣合う保護管間を補強管で環状に連結し、前記仕切板より上方の枠体外周を金網で包囲してなり、前記外枠体の内側に同軸配置される角筒状の内枠体と、
前記仕切板より上方の前記内枠体の内側に配置される棒状の電気ヒータと、
前記仕切板より上方の前記パイプの内面に固定されるスパイラルフープと、
前記外枠体の前記スパイラルフープと前記内枠体の前記金網との間の空所に多数個、積載される石塊とを備え、前記電気ヒータに通電して空所内の石塊群を加熱することを特徴とするサウナ装置。
【請求項４】
前記仕切板より下方の枠体内に炭を配置し、前記外枠体の外周をメッシュで包囲したことを特徴とする請求項３に記載のサウナ装置。
【発明の詳細な説明】
【技術分野】
【０００１】
本発明は、サウナ装置に関する。
【背景技術】
【０００２】
非特許文献１には、網で包囲した円筒体内に、Ｕ字状の電気ヒータを設置するとともに、多数の石を封入してなるサウナ装置が開示されている。
【非特許文献１】（株）メトスのサウナ新聞のインターネットＷｅｂページ    インターネット＜URL:http://metos.co.jp/PDF/sauna080604.pdf＞
【発明の開示】
【発明が解決しようとする課題】
【０００３】
上記構造のサウナ装置は、下記に示す課題を有する。
円筒体内に封入した石が電気ヒータに直接、当るので電気ヒータが損傷し易い。
電気ヒータの交換や保守点検の際には、円筒体内に封入した石を取り出す必要があり、メンテナンス作業に手間がかかる。
電気ヒータと石とが当接しているので漏電の虞がある。
【０００４】
本発明の目的は、電気ヒータと石塊とを分離することにより、電気ヒータの損傷や漏電を防止し、且つ、電気ヒータの交換や保守点検が容易であるサウナ装置の提供にある。
【課題を解決するための手段】
【０００５】
〔請求項１の手段〕
請求項１のサウナ装置は、底板と、底板から複数本のパイプを立設し、隣合うパイプ間を補強パイプで環状に連結した筒状の外枠体と、パイプの内面に固定されるスパイラルフープと、底板から複数本の保護管を立設し、隣合う保護管間を補強管で環状に連結し、枠体外周を金網で包囲してなり、外枠体の内側に同軸配置される筒状の内枠体と、内枠体の内側に配置される棒状の電気ヒータと、外枠体のスパイラルフープと内枠体の金網との間の空所に多数個、積載される石塊とを備え、電気ヒータに通電して空所内の石塊群を加熱する構成である。なお、スパイラルフープと金網とにより、空所内に積載される石塊が、外枠体から外へ出たり、内枠体内へ入り込まない。
【０００６】
サウナ装置は、外枠体のスパイラルフープと内枠体の金網との間の空所に石塊を多数個、積載し、内枠体の内側に棒状の電気ヒータを配置する構造であるので、電気ヒータと石塊とを分離でき、電気ヒータが石塊に当たらない。このため、このサウナ装置は、電気ヒータの損傷や漏電を防止でき、且つ、電気ヒータの交換や保守点検が容易である。
【０００７】
〔請求項２の手段〕
請求項２のサウナ装置は、底板と、底板から複数本のパイプを立設し、隣合うパイプ間を補強パイプで環状に連結した角筒状の外枠体と、パイプの内面に固定されるスパイラルフープと、底板から複数本の保護管を立設し、隣合う保護管間を補強管で環状に連結し、枠体外周を金網で包囲してなり、外枠体の内側に同軸配置される角筒状の内枠体と、内枠体の内側に配置される棒状の電気ヒータと、外枠体のスパイラルフープと内枠体の金網との間の空所に多数個、積載される石塊とを備え、電気ヒータに通電して空所内の石塊群を加熱する構成である。なお、スパイラルフープと金網とにより、空所内に積載される石塊が、外枠体から外へ出たり、内枠体内へ入り込まない。
【０００８】
サウナ装置は、外枠体のスパイラルフープと内枠体の金網との間の空所に石塊を多数個、積載し、内枠体の内側に棒状の電気ヒータを配置する構造であるので、電気ヒータと石塊とを分離でき、電気ヒータが石塊に当たらない。このため、このサウナ装置は、電気ヒータの損傷や漏電を防止でき、且つ、電気ヒータの交換や保守点検が容易である。
また、外枠体および内枠体は、共に角筒状とされるので、隣合うパイプ間を連結する補強パイプや、隣合う保護管間を連結する補強管を湾曲させる必要がない。
【０００９】
〔請求項３の手段〕
請求項３のサウナ装置は、底板と、底板から複数本のパイプを立設し、隣合うパイプ間を補強パイプで環状に連結した角筒状の外枠体と、外枠体の下部に固定され、外枠体内を上下に仕切る仕切板と、底板から複数本の保護管を立設し、隣合う保護管間を補強管で環状に連結し、仕切板より上方の枠体外周を金網で包囲してなり、外枠体の内側に同軸配置される角筒状の内枠体と、仕切板より上方の内枠体の内側に配置される棒状の電気ヒータと、仕切板より上方のパイプの内面に固定されるスパイラルフープと、外枠体のスパイラルフープと内枠体の金網との間の空所に多数個、積載される石塊とを備え、電気ヒータに通電して空所内の石塊群を加熱する構造である。
なお、スパイラルフープ、金網、および仕切板により、空所内に積載される石塊が、外枠体から外へ出たり、内枠体内へ入り込んだり、仕切板下方へ落ち込むことはない。
【００１０】
サウナ装置は、仕切板より上方の内枠体外周を包囲する金網と、外枠体のスパイラルフープとの間の空所に石塊を多数個、積載し、仕切板より上方の内枠体内側に棒状の電気ヒータを配置する構造であるので、電気ヒータと石塊とを分離でき、電気ヒータが石塊に当たらない。このため、このサウナ装置は、電気ヒータの損傷や漏電を防止でき、且つ、電気ヒータの交換や保守点検が容易である。
また、外枠体および内枠体は、共に角筒状とされるので、隣合うパイプ間を連結する補強パイプや、隣合う保護管間を連結する補強管を湾曲させる必要がない。
仕切板により、仕切板下方の枠体内に空間ができるので、この空間に演出用の小物を配置することができる。
【００１１】
〔請求項４の手段〕
仕切板より下方の枠体内に炭を配置し、外枠体の外周をメッシュ（金網に相当）で包囲している。このため、配置した炭による、マイナスイオン効果、除菌効果、消臭効果が期待できる。なお、遠赤外線ランプ等を発光させて、炭が燃えている様に見せても良い。
【発明を実施するための最良の形態】
【００１２】
サウナ装置は、六角形の底板と、底板から六本のパイプを立設し、隣合うパイプ間を補強パイプで環状に連結した角筒状の外枠体と、外枠体の下部に固定され、外枠体内を上下に仕切る仕切板と、底板から六本の保護管を立設し、隣合う保護管間を補強管で環状に連結し、仕切板より上方の枠体外周を金網で包囲してなり、外枠体の内側に同軸配置される角筒状の内枠体と、仕切板より上方の内枠体の内側に配置される棒状の電気ヒータと、仕切板より上方のパイプの内面に固定されるスパイラルフープと、外枠体のスパイラルフープと内枠体の金網との間の空所に多数個、積載される石塊とを備える。空所内の石塊群は、電気ヒータに通電することにより加熱される。
【００１３】
このサウナ装置は、仕切板より上方の内枠体外周を包囲する金網と、外枠体のスパイラルフープとの間の空所に石塊を多数個、積載し、仕切板より上方の内枠体内側に棒状の電気ヒータを配置する構造であるので、電気ヒータと石塊とを分離でき、電気ヒータが石塊に当たらない。このため、電気ヒータの損傷や漏電を防止でき、且つ、電気ヒータの交換や保守点検が容易である。
また、外枠体および内枠体は、共に六角形とされるので、隣合うパイプ間を連結する補強パイプや、隣合う保護管間を連結する補強管を湾曲させる必要がない。
仕切板により、仕切板下方の枠体内に空間ができるので、この空間に演出用の炭等を配置することができる。
【実施例１】
【００１４】
本発明の実施例１（請求項１〜４に対応）に係るサウナ装置を、図１および図２に基づいて説明する。
図に示す如く、サウナ装置Ａは、ベースプレート１と、外枠体２と、外枠体２内を上下に仕切る仕切板３と、外枠体２の内側に同軸配置される内枠体４と、電気ヒータ５と、スパイラルフープ６と、スパイラルフープ６と金網４１との間の空所に積載される天然石塊７（石塊）とを備える。
【００１５】
金属製のベースプレート１（底板）は、六角形である。このベースプレート１は、連通穴１１に差し込まれる六本のアンカー（図示せず）により、サウナ室の床に固定される。  
【００１６】
外枠体２は、六角形状を呈し、ベースプレート１から立設する六本のステンレス製のパイプ２１（φ３２）と、隣合うパイプ２１、２１間を連結（上部、下部）するステンレス製の補強パイプ２２（φ３２；各六本）とにより構成される。
【００１７】
仕切板３（ステンレス製）は、外枠体２の下部に溶接され、外枠体２内を上下に仕切っている。
内枠体４は、六角形状を呈し、ベースプレート１から立設する六本のステンレス製の保護管４２（φ３２）と、隣合う保護管４２、４２間を連結（上部、下部）するステンレス製の補強管４３（φ３２；各六本）と、仕切板３より上方の枠体外周を包囲する金網４１とにより構成され、外枠体２の内側に同軸配置される。なお、金網４１の表面には、遠赤外線塗料が塗られている。
【００１８】
また、内枠体４の保護管４２の近傍には、終端に空気吹出穴４４（四箇所）を形成したリング体を有する送気チューブ４５が臨み、送気チューブ４５の始端に設置した送気ファン（図示せず）により送気される空気が各空気吹出穴４４から吹き出される。
【００１９】
８はロウリュウ水を供給する水管であり、内枠体４の保護管４２の近傍で立設する立設部８１と、容器８０内の天然石塊７へロウリュウ水を間欠的に滴水するロウリュウ水吐出口８２を複数個、形成した散水口形成部８３とを備える。
【００２０】
電気ヒータ５は、本実施例では、棒状の１ｋｗ（三相ＡＣ−２００Ｖ）のシーズヒータ、１５本により構成され、合計容量が１５ｋＷであり、仕切板３より上方の内枠体４の内側に絶縁配置される。この電気ヒータは、通電によって発熱し、空所内の天然石塊７を加熱する。なお、シーズヒータの容量や本数、合計容量は任意であり、例えば、合計容量は９ｋＷや２１ｋＷであっても良い。
【００２１】
金属表面に遠赤外線塗料を塗ったスパイラルフープ６（φ７８０−Ｄ１３−＠１００）は、仕切板３より上方のパイプ２１の内面に固定される。
天然石塊７は、外枠体２のスパイラルフープ６と内枠体４の金網４１との間の空所に多数個、積載される。
なお、仕切板３より下方の枠体内には、遠赤外線ランプ９１で照らされる炭９が複数個配され、外枠体２の外周がメッシュ２３で包囲されている。
【００２２】
本実施例のサウナ装置Ａは、以下の利点を有する。
サウナ装置Ａは、仕切板３より上方の内枠体外周を包囲する金網４１と、外枠体２のスパイラルフープ６との間の空所に天然石塊７を多数個、積載し、仕切板３より上方の内枠体４内側に棒状の電気ヒータ５を配置する構造であるので、電気ヒータと石塊とを分離でき、電気ヒータ５が天然石塊７に当たらない。このため、このサウナ装置Ａは、電気ヒータ５の損傷や漏電を防止でき、且つ、電気ヒータ５の交換や保守点検が容易である。
【００２３】
サウナ装置Ａは、外枠体２および内枠体４が共に六角形とされるので、隣合うパイプ間を連結する補強パイプや、隣合う保護管４２間を連結する補強管４３を湾曲させる必要がないので、製造コストを低減できる。
【００２４】
サウナ装置Ａは、仕切板３より下方の内枠体４に炭９を配置し、仕切板３より下方の枠体内には、赤色ＬＥＤ９２で照らされる炭９を複数個配し、外枠体２の外周をメッシュ２３で包囲している。このため、配置した炭９による、マイナスイオン効果、除菌効果、消臭効果が期待できる。また、遠赤外線ランプ９１で炭９が照らされるので炭９が燃えている様に見える。
また、サウナ装置Ａは、スパイラルフープ６の金属表面に遠赤外線塗料を塗っているのと、天然石塊７が加熱されるため、放出される遠赤外線による効果が期待できる。
【００２５】
本発明は、上記実施例以外に、つぎの実施態様を含む。
ａ．サウナ装置の外枠体、内枠体の形状は、六角形以外の角形（八角形、四角形、三角形等）であっても良く、また、角形状以外に円形であっても良い。
【図面の簡単な説明】
【００２６】
【図１】実施例１に係るサウナ装置の外観を示す説明図である。
【図２】そのサウナ装置を正面および上面から見た説明図である。
【図３】そのサウナ装置の電気ヒータの配置を示す断面図である。
【図４】そのサウナ装置に用いる、ベースプレート、外枠体、および内枠体の構造を示す説明図である。
【図５】そのサウナ装置に用いる、ベースプレート、外枠体、および内枠体を組み付けた組付体を正面から見た説明図である。
【図６】その組付体の組み付け構造を示す説明図である。
【符号の説明】
【００２７】
Ａ  サウナ装置
１  ベースプレート（底板）
２  外枠体
３  仕切板
４  内枠体
５  電気ヒータ
６  スパイラルフープ
７  天然石塊（石塊）
９  炭
２２  補強パイプ
２３  メッシュ
４１  金網
４２  保護管
４３  補強管
【図１】
2010057850.tif 000003
【図２】
2010057850.tif 000004
【図３】
2010057850.tif 000005
【図４】
2010057850.tif 000006
【図５】
2010057850.tif 000007
【図６】
2010057850.tif 000008